(57)【要約】【課題】フラッディング（水づまり）及びドライアウト（乾燥状態）の発生を防止して良好に発電することができる固体高分子型燃料電池を提供する。【解決手段】固体高分子膜の電解質層の両面に電極層を配置する膜・電極接合体２１と、その膜・電極接合体２１の両外面に配置されたセパレータ２３，２４とを有する単セル２０を積層して形成され、そのセパレータ２３，２４に反応ガスを通流させて発電を行う固体高分子型燃料電池であって、単セル２０のセパレータのうち少なくともいずれか一方のセパレータ２４は、膜・電極接合体側の面に反応ガスを通流可能な第１のガス流路３３を形成し、膜・電極接合体側の面と反対側の面に、第１のガス流路を通流した反応ガスを通流可能な第２のガス流路３５を形成するポーラスタイプのセパレータであり、第１のガス流路３３及び第２のガス流路３５を連通する連通手段３４を備える。【選択図】　　　　図１
2004039357.tif 000002
【特許請求の範囲】
【請求項１】
固体高分子膜の電解質層の両面に電極層を配置する膜・電極接合体と、その膜・電極接合体の両外面に配置されたセパレータとを有する単セルを積層して形成され、そのセパレータに反応ガスを通流させて発電を行う固体高分子型燃料電池であって、
前記単セルのセパレータのうち少なくともいずれか一方のセパレータは、前記膜・電極接合体側の面に前記反応ガスを通流可能な第１のガス流路を形成し、前記膜・電極接合体側の面と反対側の面に前記反応ガスを通流可能な第２のガス流路を形成するポーラスタイプのセパレータであり、
前記第１のガス流路及び第２のガス流路を連通する連通手段を備える
ことを特徴とする固体高分子型燃料電池。
【請求項２】
前記第１のガス流路を上流、前記第２のガス流路を下流とし、前記反応ガスを前記第１のガス流路に通流させてから前記第２のガス流路に通流させる
ことを特徴とする請求項１に記載の固体高分子型燃料電池。
【請求項３】
前記第１のガス流路及び前記第２のガス流路を前記セパレータの表裏両面で隣接させ、
前記第１のガス流路に前記反応ガスを供給するガス入口部と、前記第２のガス流路から前記反応ガスを排出するガス出口部とを前記セパレータの表裏で近接するように設けた
ことを特徴とする請求項１又は請求項２に記載の固体高分子型燃料電池。
【請求項４】
前記第１のガス流路は、一端に前記反応ガスを供給するガス入口部を有し他端が閉じている入口流路部と、一端が閉じていて他端に前記連通手段を接続する連通接続流路部とを有する
ことを特徴とする請求項１から請求項３までのいずれか１項に記載の固体高分子型燃料電池。
【請求項５】
前記第１のガス流路を流れるガスの圧力が前記第２のガス流路を流れるガスの圧力よりも高圧になるようにした
ことを特徴とする請求項１から請求項４までのいずれか１項に記載の固体高分子型燃料電池。
【請求項６】
前記第１のガス流路を流れるガスの圧力と前記第２のガス流路を流れるガスの圧力との圧力差を、前記連通手段の圧力損失によって生じるようにした
ことを特徴とする請求項５に記載の固体高分子型燃料電池。
【請求項７】
前記連通手段の圧力損失を制御する圧力損失制御手段を備える
ことを特徴とする請求項６に記載の固体高分子型燃料電池。
【請求項８】
前記圧力損失制御手段は、燃料電池の負荷に応じて圧力損失を制御する
ことを特徴とする請求項７に記載の固体高分子型燃料電池。
【請求項９】
前記連通手段は前記セパレータを貫通する貫通孔である
ことを特徴とする請求項１から請求項８までのいずれか１項に記載の固体高分子型燃料電池。
【請求項１０】
前記貫通孔は、その断面面積が前記第１のガス流路の断面面積よりも小さい
ことを特徴とする請求項９に記載の固体高分子型燃料電池。
【請求項１１】
前記連通手段は前記セパレータの外部で前記第１のガス流路及び第２のガス流路を連通する外部マニホールドである
ことを特徴とする請求項１から請求項８までのいずれか１項に記載の固体高分子型燃料電池。
【請求項１２】
前記第１のガス流路の平均温度が前記第２のガス流路の平均温度よりも高温になるようにした
ことを特徴とする請求項１から請求項１１までのいずれか１項に記載の固体高分子型燃料電池。
【請求項１３】
前記一方のセパレータを前記第２のガス流路側から冷却するセパレータ冷却手段を備える
ことを特徴とする請求項１２に記載の固体高分子型燃料電池。
【請求項１４】
前記第１のガス流路は、前記ガス入口部から、少なくとも流路の一部までの間、流路に沿って温度を昇温させるようにした
ことを特徴とする請求項１から請求項１３までのいずれか１項に記載の固体高分子型燃料電池。
【請求項１５】
前記第２のガス流路のガス出口部から排出される反応ガスの温度を、少なくとも運転圧力又はガス利用率のいずれか一方に基づいて決めるようにした
ことを特徴とする請求項１４に記載の固体高分子型燃料電池。
【請求項１６】
前記第１のガス流路のガス入口部から供給される反応ガスの温度勾配を、少なくともガス入口部の温度又はガス入口部の湿度のいずれか一方に基づいて決めるようにした
ことを特徴とする請求項１５に記載の固体高分子型燃料電池。
【請求項１７】
前記第１のガス流路のガス入口部から供給される反応ガスの温度勾配を、燃料電池のガス利用率に応じて補正するようにした
ことを特徴とする請求項１６に記載の固体高分子型燃料電池。
【請求項１８】
固体高分子膜の電解質層の両面に電極層を配置する膜・電極接合体と、その膜・電極接合体の両外面に配置されたセパレータとを有する単セルを積層して形成され、そのセパレータに前記反応ガスを通流させて発電を行う固体高分子型燃料電池であって、
前記単セルのセパレータのうち少なくともいずれか一方のセパレータは、前記膜・電極接合体側の面に、前記反応ガスを供給するガス入口部と連通する往路ガス流路と、その往路ガス流路と並行であって、折返部を介してその往路ガス流路と連接し、その折返部の反対側から前記反応ガスを排出する復路ガス流路とを形成するソリッドタイプのセパレータであり、
前記ガス入口部から前記折返部に向かって少なくともそのガス入口部から折返部までの一部分までは温度が上昇するように温度勾配を与えた
ことを特徴とする固体高分子型燃料電池。
【請求項１９】
前記第２のガス流路のガス出口部のガスの温度を、少なくとも運転圧力とガス利用率のいずれか一方に基づいて決めるようにした
ことを特徴とする請求項１８に記載の固体高分子型燃料電池。
【請求項２０】
前記第１のガス流路のガス入口部から供給される反応ガスの温度勾配を、少なくともガス入口温度又はガス入口湿度のいずれか一方に基づいて決めるようにした
ことを特徴とする請求項１９に記載の固体高分子型燃料電池。
【請求項２１】
前記第１のガス流路のガス入口部から供給される反応ガスの温度勾配を、燃料電池のガス利用率に応じて補正するようにした
ことを特徴とする請求項２０に記載の固体高分子型燃料電池。
【発明の詳細な説明】
【０００１】
【発明の属する技術分野】
本発明は、固体高分子膜の電解質層の両面に電極層を配置する膜・電極接合体を使用して、燃料が有する化学エネルギを電気エネルギに変換する固体高分子型燃料電池に関するものである。
【０００２】
【従来の技術】
燃料電池システムは、燃料が有する化学エネルギを直接電気エネルギに変換するシステムであり、電解質膜を挟んで設けられた一対の電極のうち、一方の電極（陽極；アノード電極）に水素を含有する燃料ガスを供給するとともに、他方の電極（陰極；カソード電極）に酸素を含有する酸素剤ガスを供給し、これら一対の電極の電解質膜側の表面で生じる下記の電気化学反応を利用して電極から電気エネルギを取り出す。
【０００３】
陽極反応：Ｈ２　→　２Ｈ＋　＋　２ｅ−　　　　　　　　　　　　　　　　　　　　　　　−−−−（１）
陰極反応：２Ｈ＋　＋　２ｅ−　＋（１／２）Ｏ２　→　Ｈ２　Ｏ　　−−−−（２）
陽極（アノード電極）に燃料ガスを供給する方法としては、水素貯蔵装置（例えば、高圧ガスタンク、液化水素タンク、水素吸蔵合金タンク等）から直接供給する方法、水素を含有する燃料（例えば、天然ガス、メタノール、ガソリン等）を改質して生成した水素含有ガスを供給する方法などが知られている。また、陰極（カソード電極）に供給する燃料ガスとしては、一般的に空気が利用されている。
【０００４】
（２）式に示したように、燃料電池稼動時は陰極において水が生成する。また、この水の一部はカソード側からアノード側に逆拡散し、アノード側からも排出される。このとき、燃料ガスを供給する流路内に過剰に水が存在する領域があると液相の水が発生し、フラッディング（水づまり）が起こる。その結果、ガス供給が妨げられ、セルの性能が低下して発電能力が落ちてしまう。この水は、（２）式に示したように、反応によって生成するので、燃料ガスが燃料電池内を上流から下流に向かって流れるにつれて水分量が増加するため、燃料電池出口付近ではフラッディングが生じやすい。
【０００５】
そこで、燃料電池内の温度分布を制御することでフラッディングを防止する技術が特表平９−５１１３５６号公報に開示されている。この従来技術は、ガスの流れとクーラントの流れとをコフローとして、ガスの入口から出口に向かって温度を上昇させて燃料電池内の温度分布を制御し、発生した水を水蒸気としてガスに取り込むことでフラッディングを防止しようとするものである。
【０００６】
【発明が解決しようとする課題】
しかし、上述した従来技術においては、ガスの温度を昇温させているので燃料電池から排出されるガス温度が高温になる。このため、燃料電池から外部に排出される水量が増加してドライアウト（乾燥状態）を生じやすく、燃料電池内の水バランスが成立しない。したがって、燃料電池下流の水回収装置が必要となり、システムが複雑化するという問題があった。
【０００７】
本発明は、このような従来の問題点に着目してなされたものであり、フラッディング（水づまり）及びドライアウト（乾燥状態）の発生を防止して良好に発電することができる固体高分子型燃料電池を提供することを目的としている。
【０００８】
【課題を解決するための手段】
本発明は、以下のような解決手段により、前記課題を解決する。なお、理解を容易にするために、本発明の実施形態に対応する符号を付するが、これに限定されるものではない。
【０００９】
本発明は、固体高分子膜の電解質層の両面に電極層を配置する膜・電極接合体（２１）と、その膜・電極接合体（２１）の両外面に配置されたセパレータ（２３，２４）とを有する単セル（２０）を積層して形成され、そのセパレータ（２３，２４）に反応ガスを通流させて発電を行う固体高分子型燃料電池であって、前記単セル（２０）のセパレータのうち少なくともいずれか一方のセパレータ（２４）は、前記膜・電極接合体側の面に反応ガスを通流可能な第１のガス流路（３３）を形成し、前記膜・電極接合体側の面と反対側の面に、前記第１のガス流路を通流した反応ガスを通流可能な第２のガス流路（３５）を形成するポーラスタイプのセパレータであり、前記第１のガス流路（３３）及び第２のガス流路（３５）を連通する連通手段（３４）を備えることを特徴とする。
【００１０】
【作用・効果】
本発明によれば、ポーラスタイプのセパレータを使用することで、セパレータの下流側流路（第２のガス流路）、すなわち膜・電極接合体側の面と反対側の面で液化した水を、セパレータの上流側流路（第１のガス流路）、すなわち膜・電極接合体側の反応面を流れるガスに供給でき、下流におけるフラディングおよび上流におけるドライアウトを防ぐことができる。
【００１１】
また、ポーラスタイプのセパレータを使用して、ガスの含有可能な蒸気量を生成水の累積に合わせて増加させることになるので、上流側流路内で水が液化するのを防ぐことができる。またガス入口部とガス出口部が近接する場合、下流で水の液化が進み、ガス入口部への水の供給力が向上する。
【００１２】
さらに、ソリッドタイプのセパレータを使用すれば、ガスの含有可能な蒸気量を生成水の累積に合わせて増加させることになるので、上流側流路内で水が液化するのを防ぐことができる。またガス入口部とガス出口部が近接する場合、下流で水の液化が進み、ガス入口部への水の供給力が向上する。
【００１３】
【発明の実施の形態】
以下、図面等を参照して、本発明の実施の形態について、さらに詳しく説明する。
（第１実施形態）
図１は本発明に係る固体高分子型燃料電池システムの構成を示す図であり、図１（Ａ）は制御ユニットの構成を示す図、図１（Ｂ）はシステム全体の構成を示す図である。
【００１４】
この実施形態は、ポーラスタイプのバイポーラプレートを使用して、バイポーラプレートの表裏両面にガスを流すことによって、セル内部の水分量を均一化し、フラッディング及びドライアウトの発生を防止することを特徴とするものである。
【００１５】
図１（Ｂ）に示すように、本発明の固体高分子型燃料電池システムは、燃料電池本体１１と、燃料電池本体１１に供給されるガスの温度を検出する温度センサ１２と、ガスの湿度を検出する湿度センサ１３を有する。また、本発明の燃料電池システムは、燃料電池本体１１を最適な温度に保つために、燃料電池本体１１の内部にロングライフクーラント（ＬＬＣ）を循環させるＬＬＣ循環システムを有する。このロングライフクーラントとしては、例えば、エチレングライコールと水との混合液等がある。ＬＬＣ循環システムは、ＬＬＣタンク１４、ポンプ１５、バルブ１６、温度センサ１７、ラジエータ１８及びバイパスバルブ１９を有する。
【００１６】
この燃料電池システムは、制御ユニット１０によって運転状態が制御される。制御ユニット１０は、図１（Ａ）に示すように、燃料電池負荷信号、ガス温度信号、ガス湿度信号及び外気温度信号から、制御目標となるＬＬＣ入口温度を算出する目標ＬＬＣ入口温度算出手段１と、ガス流路の温度勾配を算出するガス流路温度勾配算出手段２とを有し、さらに、その算出結果に基づいて、ＬＬＣの流量を制御する流量制御手段３及びラジエータ１８の放熱量を制御するラジエータの放熱量制御手段４を有する。
【００１７】
なお、本実施形態ではポーラスタイプのバイポーラプレートをカソード側のみに用いているが、アノード側のみ、あるいはアノード側及びカソード側の両方に用いてもよい。
【００１８】
図２は、本発明に係る固体高分子型燃料電池システムの第１実施形態のセル構成を示す側断面図である。
【００１９】
単セル２０は、膜・電極接合体（Ｍｅｍｂｒａｎｅ　Ｅｌｅｃｔｒｏｄｅ　Ａｓｓｅｍｂｌｙ（以下「ＭＥＡ」と省略する））２１と、その両面に形成されたガス拡散層（Ｇａｓ　Ｄｉｆｆｕｓｉｏｎ　Ｌａｙｅｒ（以下「ＧＤＬ」と省略する））２２と、一方のＧＤＬ２２に形成されたアノードバイポーラプレート（Ｂｉｐｏｌａｒ　Ｐｌａｔｅ（以下、バイポーラプレートを「ＢＰＰ」と省略する））２３と、他方のＧＤＬ２２に形成されたカソードバイポーラプレート（カソードＢＰＰ）２４と、そのカソードＢＰＰ２４に形成されたＬＬＣプレート２５とを備える。
【００２０】
なお、本実施形態では、カソードＢＰＰ２４のみをポーラスタイプのバイポーラプレートとし、アノードＢＰＰ２３はソリッドタイプのプレートとしているが、アノードＢＰＰ２３のみをポーラスタイプとしたり、アノードＢＰＰ２３及びカソードＢＰＰ２４の両方をポーラスタイプとしてもよい。
【００２１】
図３は、ポーラスタイプのプレートであるカソードＢＰＰの流路形状を示す図であり、図３（Ａ）は表面図、図３（Ｂ）は図３（Ａ）（又は図３（Ｃ））のＢ−Ｂ断面図、図３（Ｃ）は裏面図である。
【００２２】
カソードガスは、ガス入口部３１からガス入口マニホールド３２を経由し、ＭＥＡ側であって反応ガスによる反応が行われる面（以下「反応面」という。また、この面を、適宜、表面と表現する。）に形成された反応面ガス流路３３に分岐して流れ、連通路３４を通過して、プレート裏面（反応面と反対のＬＬＣプレート側の面）に進み、裏面ガス流路３５を流れる。そして、ガス出口マニホールド３６で合流し、ガス出口部３７から排出される。
【００２３】
図４は、本発明に係る固体高分子型燃料電池システムに使用する単セルの側断面図であり、図中の矢印はセル内の水移動を示す。
【００２４】
次に、ポーラスタイプのプレートであるカソードプレート内の水の移動を説明する。
【００２５】
本実施形態では、カソードＢＰＰ２４はポーラスタイプのプレートであり、プレート内には空間が存在する。そのため、水が、そのプレートの内部を通って移動することができる。また、水がポーラスプレート内を満たしていると、その水の表面張力によって、ガスがポーラスプレートの表面（ＭＥＡ側の面）から裏面（ＬＬＣ側の面）に漏れることはない。
【００２６】
カソードＢＰＰ２４の裏側にはＬＬＣプレート２５が存在するので、カソードＢＰＰ２４の裏面はＬＬＣによって冷却される。したがって、カソードＢＰＰ２４の裏面を流れるガスは表面側より低温である。このため、連通路３４を通過して裏面ガス流路３５を流れるガスは冷却され、飽和蒸気圧を超える分の水蒸気は凝縮して液化する。そして、この凝縮水は、ポーラスタイプのプレートであるカソードＢＰＰ２４を通過可能であり、カソードＢＰＰ２４の表側に移動する。
【００２７】
外気が乾燥している場合に乾燥したガスがスタックに流れ込むと、そのガスを加湿するために膜の水分が蒸発するので、セル内の入口部付近でドライアウト（乾燥状態）が発生しやすいが、本実施形態によれば、ポーラスタイプのプレートのＬＬＣ側で冷却されたガスが凝縮されて、その凝縮水がポーラスプレート内を自由に移動可能であるので、その凝縮水が必要とされる部分（乾燥部分）に移動する。したがって、セル内の湿度分布を均一に保つことができる。
【００２８】
以上のように、本実施形態によれば、バイポーラスプレート（本実施形態ではカソードＢＰＰ２４）にポーラスタイプのセパレータを使用したので、例えば、反応ガスが通流されるＭＥＡ側の面（反応面）で水が過剰となった場合には、その裏面に余剰の水を排出することができ、また、逆にＭＥＡ側の反応面が乾燥状態となって湿度が不足する場合には、裏面で液化した水を浸透させて反応ガスの乾燥を防止することができる。このように、セル内部の水分量を均一化させて、ＭＥＡ側の反応面のドライアウトを防止することができるとともに、裏面のフラッディングを防止することができる。
【００２９】
また、ＬＬＣプレート２５によってカソードＢＰＰ２４の裏面を冷却するので、裏面ガス流路３５での水の凝縮を促進し、裏面側から表面側への水の供給力を向上させることができる。
【００３０】
また、カソードＢＰＰ２４の表裏面で、反応面ガス流路３３及び裏面ガス流路３５を隣接させたので、反応面全体でムラ無く、裏面から反応面に水を供給できるようになり、さらにガス出口部３７とガス入口部３１を近接させたので、凝縮水が多い出口のガスから入口のガスへ効果的に水を供給することができる。
【００３１】
さらに、カソードＢＰＰ２４に形成した貫通孔を連通路としたので、燃料電池の構成を簡素化し小型化することができる。
【００３２】
（第２実施形態）
図５は、本発明に係る固体高分子型燃料電池システムの第２実施形態の単セルを示す側断面図であり、第１実施形態の図４に相当する図である。
【００３３】
なお、以下に示す各実施形態では、前述した第１実施形態と同様の機能を果たす部分には、同一の符号を付して、重複する説明を適宜省略する。また、本実施形態のシステム構成図は第１実施形態の図１と同じであるため省略する。
【００３４】
本実施形態の単セル２０は、第１実施形態の単セルに対して、カソードＢＰＰ２４の連通路３４が相違する。これによって、カソードＢＰＰ２４の反応面ガス流路３３のガス圧と裏面ガス流路３５のガス圧とに差圧を生じさせることが特徴である。
【００３５】
すなわち、本実施形態のカソードＢＰＰ２４の連通路３４は、孔の断面積が反応面ガス流路３３の断面積よりも小さい。このため、カソードガスが連通路３４を通過する際に圧力損失が発生し、裏面ガス流路３５のガス圧（Ｐｂ）は反応面ガス流路３３のガス圧（Ｐａ）よりも低くなる。逆に言えば、反応面ガス流路３３のガス圧（Ｐａ）は裏面ガス流路３５のガス圧（Ｐｂ）よりも高い。このとき、例えば、ＰａとＰｂとで１０ｋＰａの差圧を確保する。このように、反応面ガス流路３３のガス圧Ｐａが裏面ガス流路３５のガス圧Ｐｂよりも高いので、反応面ガス流路３３で生成された水はカソードＢＰＰ２４の内部に移動する。
【００３６】
カソードＢＰＰ２４の表面はＭＥＡの反応面であるので、万一、反応面ガス流路３３でフラッディングが発生するとカソードガスの拡散が阻害されてセルの性能が低下してしまうおそれがある。しかし、本実施形態によれば、上述の通り、反応面ガス流路３３で生成された水はカソードＢＰＰ２４の内部を移動するので、反応面側でのフラッデングの発生を確実に防止し、セルの性能低下を防止することができる。また、ポーラスプレートであるカソードＢＰＰ２４の内部に取り込まれた水は、水分が不足すると入口部に移動し入口ガスを加湿する。
【００３７】
このように、本実施形態によれば、連通路３４の孔を、その断面積が反応面ガス流路３３の断面積よりも小さくなるようにしたので、反応面ガス流路３３のガス圧が裏面ガス流路３５のガス圧よりも高圧になる。この圧力差によって、反応面ガス流路３３で過剰な水が凝縮した場合、その凝縮水をポーラスセパレータであるカソードＢＰＰ２４を通して裏面ガス流路３５側に排出することができるので、反応面ガス流路３３側でのフラッデングを防止できるとともに、セルの内の水分布を均一化することができる。
【００３８】
また、圧力設定手段を外部装置として設ける必要がない。
【００３９】
（第３実施形態）
図６は、本発明に係る固体高分子型燃料電池システムの第３実施形態の流路形状を示す図であり、第１実施形態の図３に相当する図である。図６（Ａ）は表面図、図６（Ｂ）は図６（Ａ）（又は図６（Ｃ））のＢ−Ｂ断面図、図６（Ｃ）は裏面図である。
【００４０】
本実施形態では、第１実施形態に対してカソードＢＰＰ２４のガス流路の形状が相違する。システム構成図は第１実施形態の図１と同じであるため省略する。
【００４１】
第３実施形態では、第１実施形態（図３）に対してカソードＢＰＰの表面に形成した反応面ガス流路において、隣合う流路間をガスが移動するようにしたことが特徴である。すなわち、本実施形態では、カソードＢＰＰ２４は、表面に２種類の反応面ガス流路３３ａ、３３ｂが交互に形成されている（図６（Ａ））。第１反応面ガス流路３３ａは、ガス入口マニホールド３２から分岐し、反対端がデッドエンドとなっている。第２反応面ガス流路３３ｂは、第１反応面ガス流路３３ａの間に形成され、ガス入口マニホールド３２に接続されていない。第２反応面ガス流路３３ｂは、ガス入口マニホールド３２と反対側が連通路３４を介して裏面ガス流路３５に連通している。
【００４２】
ガス入口マニホールド３２から第１反応面ガス流路３３ａに流入したガスは、ポーラス構造のＧＤＬ２２を通って、隣の第２反応面ガス流路３３ｂに移動する。
【００４３】
図７は、第３実施形態のガス流路間のガス移動を示す平断面図である。
【００４４】
第１反応面ガス流路３３ａから第２反応面ガス流路３３ｂに移動するガスは、図７に示すように、ＧＤＬ２２を通過する。そのため、ＧＤＬ２２ではガスの拡散が促進される。そのため、ＭＥＡ２１は全面に渡って反応に活用されることになる。加えて、ＧＤＬ２２に余剰水分が発生した場合においても、カソードガスがＧＤＬ２２を通過する際にその余剰水分を排水する作用があるので、ガス拡散が水に阻害されにくい。
【００４５】
このように、本実施形態によれば、カソードガスはＧＤＬ２２を通過して流れるので、ガス拡散ロスが低減し、ＭＥＡ２１の全面で反応が生じ、ガスの拡散が促進されてスタックの性能が改善し、燃料電池性能が向上する。
【００４６】
（第４実施形態）
図８は、本発明に係る固体高分子型燃料電池システムの第４実施形態のセル構成を示す側断面図であり、第１実施形態の図２に相当する図である。
【００４７】
なお、本実施形態のシステム構成図は第１実施形態の図１と同じであるため省略する。
【００４８】
本実施形態は、第１実施形態に対してカソードＢＰＰ２４の連通路の形状が相違する。本実施形態の連通路は、外部マニホールドとして形成されている。
【００４９】
第１実施形態では、連通路としてカソードＢＰＰ２４に貫通孔の連通路３４を形成することで、反応面ガス流路３３と裏面ガス流路３５とを連通させているが、本実施形態では、単セル２０の外部に連通マニホールド８１を設けて反応面ガス流路３３と裏面ガス流路３５とを連通させている。また、連通マニホールド８１の内部には、連通マニホールド８１の有効高さを調整することで差圧を調整可能な差圧調整機構８２を設けている。
【００５０】
図９は、連通路として貫通孔を使用した場合（例えば、第２実施形態）の、ガス流量に対する反応面ガス流路と裏面ガス流路とのガス圧力差を示す線図である。横軸にガス流量、縦軸にガス圧力差をとる。
【００５１】
燃料電池の負荷が増大するとガス流量が増加するが、この図９から、ガス流量が増加すれば圧力差が大きくなり、ガス流量が少ないときは圧力差も小さいことが分かる。このように、ガス流量が少ないときには圧力差が小さいので、反応面ガス流路３３側での水の排水効果が小さい。
【００５２】
図１０は、第４実施形態におけるガス流量に対するマニホールドの有効高さｈ及びそのときの差圧Ｐａ−Ｐｂを示す線図である。横軸にガス流量、左側縦軸に有効高さｈ、右側縦軸に差圧Ｐａ−Ｐｂをとる。
【００５３】
本実施形態では、連通マニホールド８１の有効高さを差圧調整機構８２で調整して、差圧を制御することができる。
【００５４】
この図１０から、ガス流量を小さくしたときに（すなわち、燃料電池の負荷が小さくなったときに）マニホールドの有効高さｈを小さくすれば、差圧Ｐａ−Ｐｂを一定に保つことができることが分かる。すなわち、ガス流量を変化させたときに、それに合わせてマニホールドの有効高さｈを適宜調整することで差圧Ｐａ−Ｐｂを一定に保つことができる。
【００５５】
このように、本実施形態によれば、流量によらずに流路間のガスの差圧Ｐａ−Ｐｂを一定に保つことができるため、常にフラッディングの発生を防止することができる。
【００５６】
また、セパレータ（カソードＢＰＰ）の構造を簡素化できる。また反応面で生じた生成水を一旦均一化して裏面に導入することができる。
【００５７】
さらに、反応面ガス流路３３と裏面ガス流路３５との圧力損失を制御して、圧力差を調節することができる。
【００５８】
さらにまた、負荷（流量）に依らず圧力差を一定に保つことができ、反応面側で生じた生成水の裏面への排出性を維持することができる。
【００５９】
（第５実施形態）
図１１は、本発明に係る固体高分子型燃料電池システムの第５実施形態のＬＬＣプレートを示す図である。
【００６０】
なお、本実施形態のシステム構成、セル構成、カソードプレート形状は、第１実施形態と同じであり、それぞれ図１、図２、図３と同一であるため省略する。
【００６１】
この第５実施形態は、第１実施形態に対してガス流路の流れ方向に対して温度勾配を設けたこと、燃料電池本体１１の内部で生成される水分量と燃料電池本体１１の外部へ持ち出される水分量とのバランスが成立するように制御することを特徴とする。
【００６２】
ＬＬＣプレート２５に形成されたＬＬＣ流路１１３はサーペンタイン式となっている。ＬＬＣ入口１１１から流入したＬＬＣは、ＬＬＣ入口マニホールド１１２を通過した後に、ＬＬＣ流路１１３に分岐する。その後、折り返しの流路を通過してからＬＬＣ出口マニホールド１１４で合流してＬＬＣ出口１１５から排出される。ＬＬＣは燃料電池本体１１で発生した熱を吸収するのでＬＬＣ入口１１１からＬＬＣ出口１１５に流れるにしたがって温度が昇温する。図３に示したガス流路との関係を考えると、ガス入口部３１から連通路３４に向かって温度が上昇する。逆に、リターン時には連通路３４からガス出口部３７に向かって温度が低下する配置となる。
【００６３】
図１２は、温度の対する飽和蒸気圧を示す線図である。横軸に温度、縦軸に飽和蒸気圧をとる。
【００６４】
この図１２より、温度が高くなるに連れて急激に飽和蒸気圧が大きくなることが分かる。これはガスの温度が上がれば、その分だけガスが水分を気相状態で保持できることを示している。また、逆に、温度が下がれば、ガスが水分を気相状態で保持できず、水が凝縮して液化する。
【００６５】
図１３は、本実施形態のガス流路中の位置に対する相対湿度と水分量及び温度の関係を示す線図である。横軸にガス流路中の位置、左側縦軸に相対湿度、右側縦軸に水分量及び温度をとる。
【００６６】
前述したように、カソードＢＰＰ２４の表面では、ガス入口部３１から反応面ガス流路３３を通って連通路３４（リターン部）に達するまでガスの温度が上昇する。このため、生成水が発生した場合においてもガスの相対湿度は１００％となり、飽和することがなく、過飽和となって水凝縮することがない。その結果、反応面ガス流路３３ではフラディングが発生しない。
【００６７】
また、カソードＢＰＰ２４の裏面では、連通路３４（リターン部）からガス出口部３７に向かうにしたがってガスの温度が低下する。このため、水分量は飽和時に含み得る水分以上となって、相対湿度は常に１００％以上となり、過飽和分の水はプレート面で凝縮して液化する。しかしながら、カソードＢＰＰはポーラスタイプであるので、液化した水はプレート内を移動して、水分が必要な表面側に移動し、ガスの加湿に使用される。
【００６８】
このように、本実施形態によれば、ガス流路の流れ方向に温度勾配を持たせることによって、反応面ガス流路３３でのフラッディングの発生を防止することができる。さらに、裏面ガス流路３５のフラッディングによる流路閉塞の防止と、カソードＢＰＰの入口３１から流入するガスに対する速やかな加湿とを両立させることができる。
【００６９】
図１４は、燃料電池の運転圧力を一定にした場合のガス利用率に対する水バランス成立温度の関係を示す線図である。横軸にガス利用率、縦軸に水バランス成立温度をとる。
【００７０】
燃料電池では、前述したように反応によって水が生成され、この水を水蒸気として保持するガスが排出される。したがって、例えば、燃料電池の上流に加湿器がなく、燃料電池にドライガスが流入する場合、燃料電池から排出されるガスの温度が高いと、生成される水以上の水が排出ガスによって持ち去られてしまうことになる。
【００７１】
このような状態で、生成される水以上の水が排出ガスによって持ち去られると燃料電池内の水が減少しドライアウトを生じてしまう。
【００７２】
このような事態を生じさせないために、燃料電池本体の内部で生成される水分量と、燃料電池本体の外部へ持ち出される水分量とのバランス（水バランス）を成立させることが重要である。燃料電池内で水バランスを成立させることができない場合には、燃料電池の下流に水回収装置を設置して水を回収し、燃料電池内の水が不足したら、この回収した水を使って、燃料電池に流入するガスを加湿する必要がある。このように、燃料電池内で水バランスを成立させることができないときはシステムが複雑になる。
【００７３】
燃料電池の運転圧力を一定とした場合に、この水バランスが成立するか否かは、燃料電池出口のガス温度とガス利用率との関係で決まり、この関係を図１４に示した。なお、水バランス成立温度とは、水バランスが成立するときに燃料電池から排出される燃料電池出口のガス温度をいう。
【００７４】
この図１４に示すように水バランス成立温度はガス利用率の関数となる。ガス利用率が大きいときは排ガスの量が減るのでガスが持ち去る水分量が減り、水バランス成立温度が高くなる。逆に、ガス利用率が小さいときは排ガスの量が増えるので、ガスが持ち去る水分量が多くなり、水バランス成立温度は低くなる。
【００７５】
図１５は、運転圧力及びガス利用率に対する水バランス成立温度の関係を示す線図である。横軸に運転圧力、縦軸にガス利用率をとる。
【００７６】
上述した関係をもとに、さらに、図１５に運転圧力及びガス利用率に対する水バランス成立温度の関係を示す。
【００７７】
運転圧力（すなわち、運転時のガス圧力）が高くなるほどガスが持ち去る水分量が少なくなるため、水バランス成立温度は高くなる。よって、運転圧力が高いほど、またガス利用率が大きいほど、水バランス成立温度は高くなる。このように、図１５では、右上の線図ほど水バランス成立温度が高温で、左下の線図ほど水バランス成立温度が低温である。この図１５を使用すれば、燃料電池の運転圧力を変化させた場合に水バランスを成立させるための水バランス成立温度及びそのときのガス利用率を求めることができる。
【００７８】
ＬＬＣを使って燃料電池の温度をコントロールすることを考えると、ある運転圧力とガス利用率のもとで、燃料電池内で水バランスを成立させるためには、ＬＬＣで燃料電池の出口３７のガス温度（以下「ガス出口温度」という）をある温度にまで冷やす必要がある。例えば、図１１に示したＬＬＣプレート２５を使用して、そのＬＬＣ流路１１３を流れるＬＬＣによって燃料電池から排出されるガスの温度を制御する。ただし、熱交換効率の関係で、ガス出口温度をＬＬＣの入口温度以下に冷やすことはできないので、ＬＬＣの入口温度を水バランス成立温度よりも低い温度に設定する必要がある。
【００７９】
ガス出口温度を水バランス成立温度とするためのＬＬＣ入口温度の値は、熱伝導率や流路形状など燃料電池に特有な特性で決まるので、あらかじめ、ガス出口温度に対するＬＬＣ入口温度の関係を用意しておき、これを参照することで求めることができる。
【００８０】
このように、運転圧力とガス利用率とが決まれば、水バランスを成立させるためのガス出口温度が決まり、そのガス出口温度にするためのＬＬＣ入口温度が決定する。
【００８１】
また、流路途中でのフラッディングを防止するためには、流路途中での温度も制御する必要があり、ガス流路のリターン部（連通路３４）付近の温度を目標温度にする。このため、ガス流路のリターン部（連通路３４）付近に配置されるＬＬＣ出口１１５で満たすべき温度が定まり、そのような温度にするためのＬＬＣ温度の温度勾配が必要となる。
【００８２】
このように、フラッディングを防止しつつ、水バランスを成立させるためには、ＬＬＣの入口１１１及び出口１１５の温度を目標値に制御する必要があり、このため、燃料電池の発熱量とラジエータでの放熱量とを考慮して、所定のＬＬＣ入口１１１の温度と温度勾配とになるように、ＬＬＣの流量を制御する必要がある。
【００８３】
図１６は、ガス入口温度及びガス入口湿度に対するＬＬＣの温度勾配の関係を示す線図である。横軸にガス入口温度、縦軸にガス入口湿度をとる。
【００８４】
ガス入口温度が高いほど、ガス入口湿度が高いほど、ＬＬＣの温度勾配を大きくする。このように制御することによって、外気条件が変化した場合においても、確実にフラディングの発生を防止することができる。
【００８５】
図１７は、ガス利用率に対する温度勾配補正係数を示す線図である。横軸にガス利用率、縦軸に温度勾配補正係数をとる。
【００８６】
図１６ではガスの利用率が一定の場合で説明したが、ガスの利用率を変える場合には補正が必要にあり、図１７にガス利用率に対する温度勾配補正係数を示した。
【００８７】
ガス利用率が小さいほどガスは多くの水分量を気相で保持できるので、温度勾配を小さくすることができる。逆に、ガス利用率が大きいとガスが気相で保持できる水分量は少なくなるため、大きな温度勾配が必要になる。このような特性を考慮して、温度勾配補正係数で温度勾配を補正する。
【００８８】
図１８は、ＬＬＣ流路を流れるトータルのＬＬＣ循環量に対する燃料電池セル内の温度勾配を示す線図である。横軸にＬＬＣ循環量、縦軸に温度勾配をとる。
【００８９】
この図から目標とすべき温度勾配を達成するために必要となるＬＬＣ循環量を決定することができる。ＬＬＣ循環量を少なくするほど、温度勾配を大きくすることができる。すなわち、ＬＬＣ循環量が少ないほど、ＬＬＣが入口１１１から出口１１５に達するまでの温度変化が大きく、ＬＬＣ循環量が多いほど、ＬＬＣが入口１１１から出口１１５に達するまでの温度変化が小さい。
【００９０】
図１９は、ＬＬＣ温度とラジエータ放熱量との関係を示す線図である。横軸にＬＬＣ温度、縦軸にラジエータ放熱量をとる。
【００９１】
この図１９により、ＬＬＣの温度を前述のＬＬＣ入口温度にするために必要なラジエータ放熱量を求める。
【００９２】
図２０は、外気温度を一定とした場合にラジエータを通過するＬＬＣ量と、ラジエータが放熱する放熱量との関係を示す線図である。横軸にＬＬＣ量、縦軸に放熱量をとる。
【００９３】
図１に示すシステムに置いて、ラジエータ１８をバイパスして流れるＬＬＣ量が多くなり、ラジエータ１８を通過するＬＬＣ量が小さくなるほど、ラジエータ１８の放熱量は小さくなる。逆に、ラジエータ１８をバイパスして流れるＬＬＣ量が少なくなり、ラジエータ１８を通過するＬＬＣ量が多くなるほど、ラジエータ１８の放熱量は大きくなる。したがって、ラジエータ１８を通過するＬＬＣ量を制御することによって、ラジエータ１８からの放熱量を制御することができ、運転条件によって変化する燃料電池本体１１からの発熱量を適切に処理することができる。なお、ラジエータの放熱量は外気温度によって変わるので、図２１により、外気温度に応じてラジエータ通過ＬＬＣ量を補正する必要がある。
【００９４】
図２１は、外気温度に対するラジエータ通過ＬＬＣ量補正係数の関係を示す線図である。横軸に外気温度、縦軸に補正係数をとる。
【００９５】
上述の通り、ラジエータ１８の放熱量は外気温度によって変動するので、この図２１で求めた補正係数によってラジエータ通過ＬＬＣ量を補正する必要がある。
【００９６】
図２２は、第５実施形態の制御を示すフローチャートである。
【００９７】
始めに、ステップ（以下「Ｓ」と表記する）１において、外気温度を温度計で測定する。
【００９８】
Ｓ２において、ガス入口湿度を湿度計で測定する。
【００９９】
Ｓ３において、運転圧力（＝ガス圧力）を圧力計又は圧力弁の開度で測定する。
【０１００】
Ｓ４において、ガス供給量を流量計又はブロア出力で測定する。
【０１０１】
Ｓ５において、電流値を電流計で測定する。
【０１０２】
Ｓ６において、Ｓ５で測定した電流値からガス利用量を算出する。
【０１０３】
Ｓ７において、ガス利用率を算出する。具体的には、ガス利用率＝ガス利用量（Ｓ６の算出値）／ガス供給量（Ｓ４の測定量）で算出できる。
【０１０４】
Ｓ８において、運転圧力（Ｓ３の測定値）とガス利用率（Ｓ７の算出値）とを図１５に適用して水バランス成立温度を算出する。
【０１０５】
Ｓ９において、燃料電池特性に基づいて、水バランス成立温度（Ｓ８の算出値）からＬＬＣ入口温度を算出する。
【０１０６】
Ｓ１０において、ガス入口温度（＝水バランス成立温度（Ｓ８の算出値））とガス入口湿度（Ｓ２の測定値）とを図１６に適用してＬＬＣ温度勾配を算出する。
【０１０７】
Ｓ１１において、ガス利用率（Ｓ７の算出値）を図１７に適用してＬＬＣ温度勾配補正係数を算出し、ＬＬＣ温度勾配（Ｓ１０の算出値）を補正する。
【０１０８】
Ｓ１２において、補正されたＬＬＣ温度勾配を図１８に適用してＬＬＣ循環量を算出する。
【０１０９】
Ｓ１３において、ＬＬＣ入口温度（Ｓ９の算出値）を図１９に適用してラジエータ放熱量を算出する。
【０１１０】
Ｓ１４において、ラジエータ放熱量（Ｓ１３の算出値）を図２０に適用してラジエータ通過ＬＬＣ量を算出する。
【０１１１】
Ｓ１５において、外気温度（Ｓ１の測定値）を図２１に適用してラジエータ通過ＬＬＣ量補正係数を算出して、ラジエータ通過ＬＬＣ量（Ｓ１４の算出値）を補正する。
【０１１２】
Ｓ１６において、ラジエータ通過ＬＬＣ量（Ｓ１５の補正値）に基づいて、ポンプ１５（図１参照）の出力及びバイパスバルブ１９（図１参照）の開度を制御する。
【０１１３】
本実施形態によれば、ＬＬＣ循環量とラジエータを通過するＬＬＣ量とを制御することによってラジエータ１８からの放熱量を適切にコントロールすることができる。これによって、ＬＬＣの入口１１１及び出口１１５の温度を制御することができ、カソードＢＰＰ２４を流れるガス温度をコントロールすることが可能になり、流路中でフラッディングが発生することを防止しつつ、燃料電池内の水バランスを成立させることができる。
【０１１４】
また、ガスの含むことのできる蒸気量を、生成水の累積に合わせて増加させることになるので、反応面ガス流路３３内で水が液化するのを防ぐことができる。また、ガス入口部３１とガス出口部３７とが近接する場合、下流（裏面ガス流路３５）で水の液化が進み、ガス入口部３１への水の供給力が向上する。
【０１１５】
さらに、ガスの状態あるいは水の生成に合わせ、反応面ガス流路３３内で水が過剰に液化するのをきめ細かく防ぐことができる。
【０１１６】
（第６実施形態）
図２３は、本発明に係る固体高分子型燃料電池システムの第６実施形態のセル構成を示す側断面図である。
【０１１７】
なお、本実施形態のシステム構成図は第１実施形態の図１と同じであるため省略する。
【０１１８】
第６実施形態は、燃料電池セルを構成するバイポラプレート（ＢＰＰ）に水を透過しないソリッドタイプのＢＰＰを用いつつ、水バランスが成立するような流路としたことを特徴とする。
【０１１９】
単セル２０は、ＭＥＡ２１と、ＧＤＬ２２と、アノードＢＰＰ２３と、カソードＢＰＰ２４と、ＬＬＣプレート２５とを有する。なお、本実施形態においては、アノードＢＰＰ及びカソードＢＰＰはともにソリッドタイプのプレートである。
【０１２０】
図２４は、第６実施形態のカソードＢＰＰを示す図であり、図２４（Ａ）は表面図、図２４（Ｂ）は図２４（Ａ）のＢ−Ｂ断面図である。
【０１２１】
図２４には、カソードＢＰＰ２４の流路形状を示す。カソードガスはガス入口部３１から供給され、ガス入口マニホールド３２を経由して、往路ガス流路３３ｃに分岐して流れ、折返ガス流路３３ｄで折り返して、復路ガス流路３３ｅに流れる。その後、そのカソードガスは連通路３４を経由してカソードＢＰＰ２４の裏面に形成されたガス出口マニホールド３６で合流させられ、ガス出口部３７から排出される。
【０１２２】
図２５は、第６実施形態の流路間の水の移動を示す平断面図である。
【０１２３】
前述したポーラスプレートと異なり、ソリッドプレート内では、水が移動することはできない。したがって、流路の下流で生成された余剰の液水は、ＧＤＬ２２を経由して流路上流側に戻る。ＬＬＣプレート２５は、図１１に示す流路と同じ流路のものを用いる。したがって、図２４に示すカソードＢＰＰ２４のガス流路では、ＬＬＣ流路の入口側が配置されるガス入口マニホールド３２及びガス出口マニホールド３６側が低温となる。これに対して、ＬＬＣ出口側に相当する折返ガス流路３３ｄは高温である。したがって、往路ガス流路３３ｃでは流れ方向に対して、温度が昇温していく。したがって、反応で生成された水は水蒸気圧の上昇によってガス中に取り込まれる。これに対して、流れ方向に対して温度が低下する復路ガス流路３３ｅでは、飽和蒸気圧の低下によって、液相の水が生じる。ここで、図２４に示すように、往路ガス流路３３ｃが復路ガス流路３３ｅに並行して隣接しているので、復路ガス流路３３ｅで生成された余剰の水はポーラス構造であるＧＤＬ２２を通って、水分が不足する往路ガス流路３３ｃに移動する。
【０１２４】
また、本実施形態においても、第５実施形態と同様に、燃料電池内で水バランスが成立するようなＬＬＣ温度制御を行う。
【０１２５】
本実施形態によれば、上述したようなセルの構成、流路とすることによって、バイポーラプレートにソリッドプレートを用いた場合においても、流路中でのフラッディングを防止しつつ、燃料電池内の水バランスを成立させることができる。
【０１２６】
また、ガスの含むことのできる蒸気量を、生成水の累積に合わせて増加させることになるので、反応面ガス流路３３内で水が液化するのを防ぐことができる。また、ガス入口部３１とガス出口部３７とが近接する場合、下流（裏面ガス流路３５）で水の液化が進み、ガス入口部３１への水の供給力が向上する。
【０１２７】
さらに、ガスの状態あるいは水の生成に合わせ、反応面ガス流路３３内で水が過剰に液化するのをきめ細かく防ぐことができる。
【０１２８】
以上説明した実施形態に限定されることなく、その技術的思想の範囲内において種々の変形や変更が可能であり、それらも本発明と均等であることは明白である。
【０１２９】
例えば、第１〜５実施形態では、カソードＢＰＰのみをポーラスタイプのバイポーラプレートとし、アノードＢＰＰはソリッドタイプのプレートとしているが、アノードＢＰＰのみをポーラスタイプとしたり、アノードＢＰＰ及びカソードＢＰＰの両方をポーラスタイプとしてもよい。
【図面の簡単な説明】
【図１】本発明に係る固体高分子型燃料電池システムの構成を示す図である。
【図２】本発明に係る固体高分子型燃料電池システムの第１実施形態のセル構成を示す側断面図である。
【図３】ポーラスタイプのプレートであるカソードＢＰＰの流路形状を示す図である。
【図４】本発明に係る固体高分子型燃料電池システムに使用する単セルの側断面図である。
【図５】本発明に係る固体高分子型燃料電池システムの第２実施形態の単セルを示す側断面図である。
【図６】本発明に係る固体高分子型燃料電池システムの第３実施形態の流路形状を示す図である。
【図７】第３実施形態のガス流路間のガス移動を示す平断面図である。
【図８】本発明に係る固体高分子型燃料電池システムの第４実施形態のセル構成を示す側断面図である。
【図９】連通路として貫通孔を使用した場合（例えば、第２実施形態）の、ガス流量に対する反応面ガス流路と裏面ガス流路とのガス圧力差を示す線図である。
【図１０】第４実施形態におけるガス流量に対するマニホールドの有効高さｈ及びそのときの差圧Ｐａ−Ｐｂを示す線図である。
【図１１】本発明に係る固体高分子型燃料電池システムの第５実施形態のＬＬＣプレートを示す図である。
【図１２】温度の対する飽和蒸気圧を示す線図である。
【図１３】本実施形態のガス流路中の位置に対する相対湿度と水分量及び温度の関係を示す線図である。
【図１４】燃料電池の運転圧力を一定にした場合のガス利用率に対する水バランス成立温度の関係を示す線図である。
【図１５】運転圧力及びガス利用率に対する水バランス成立温度の関係を示す線図である。
【図１６】ガス入口温度及びガス入口湿度に対するＬＬＣの温度勾配の関係を示す線図である。
【図１７】ガス利用率に対する温度勾配補正係数を示す線図である。
【図１８】ＬＬＣ流路を流れるトータルのＬＬＣ循環量に対する燃料電池セル内の温度勾配を示す線図である。
【図１９】ＬＬＣ温度とラジエータ放熱量との関係を示す線図である。
【図２０】外気温度を一定とした場合にラジエータを通過するＬＬＣ量と、ラジエータが放熱する放熱量との関係を示す線図である。
【図２１】外気温度に対するラジエータ通過ＬＬＣ量補正係数の関係を示す線図である。
【図２２】第５実施形態の制御を示すフローチャートである。
【図２３】本発明に係る固体高分子型燃料電池システムの第６実施形態のセル構成を示す側断面図である。
【図２４】第６実施形態のカソードＢＰＰを示す図である。
【図２５】第６実施形態の流路間の水の移動を示す平断面図である。
【符号の説明】
１　目標ＬＬＣ入口温度算出手段
２　ガス流路温度勾配算出手段
３　流量制御手段
４　放熱量制御手段
１０　制御ユニット
１１　燃料電池本体
１４　ＬＬＣタンク
１８　ラジエータ
１９　バイパスバルブ
２０　単セル
２１　膜・電極接合体（ＭＥＡ）
２２　ガス拡散層（ＧＤＬ）
２３　アノードバイポーラプレート；アノードＢＰＰ（セパレータ）
２４　カソードバイポーラプレート；カソードＢＰＰ（セパレータ）
２５　ＬＬＣプレート（セパレータ冷却手段）
３１　ガス入口部
３３　反応面ガス流路（第１のガス流路）
３３ａ　第１反応面ガス流路（入口流路部）
３３ｂ　第２反応面ガス流路（出口流路部）
３３ｃ　往路ガス流路
３３ｄ　折返ガス流路（折返部）
３３ｅ　復路ガス流路
３４　連通路（連通手段）
３５　裏面ガス流路（第２のガス流路）
３７　ガス出口部
８１　連通マニホールド（連通手段）
８２　差圧調整機構（圧力損失制御手段）
【図１】
2004039357.tif 000003
【図２】
2004039357.tif 000004
【図３】
2004039357.tif 000005
【図４】
2004039357.tif 000006
【図５】
2004039357.tif 000007
【図６】
2004039357.tif 000008
【図７】
2004039357.tif 000009
【図８】
2004039357.tif 000010
【図９】
2004039357.tif 000011
【図１０】
2004039357.tif 000012
【図１１】
2004039357.tif 000013
【図１２】
2004039357.tif 000014
【図１３】
2004039357.tif 000015
【図１４】
2004039357.tif 000016
【図１５】
2004039357.tif 000017
【図１６】
2004039357.tif 000018
【図１７】
2004039357.tif 000019
【図１８】
2004039357.tif 000020
【図１９】
2004039357.tif 000021
【図２０】
2004039357.tif 000022
【図２１】
2004039357.tif 000023
【図２２】
2004039357.tif 000024
【図２３】
2004039357.tif 000025
【図２４】
2004039357.tif 000026
【図２５】
2004039357.tif 000027